(57)【要約】【課題】大入賞口を開放することができる権利の発生中において、大入賞口を開くのに必要な待ち時間を少なくし、遊技者が実際の利益の取得を十分に且つ速やかに得ながら効率よく権利消化ができるパチンコ遊技機の提供を課題とする。【解決手段】大入賞口１５１を複数回開放する権利が発生している場合に、回転案内装置１４の回転体の球受部が始動口位置に到達した際に遊技球が始動口に入ったことが検出された場合には、回転体を待機位置Ｗから始動口位置への回転距離が長い方である通常回転方向に回転させ、これによって次に球受部が始動口位置に到達するまでに要する時間を大入賞口１５１の所定開放時間よりも長くし、一方、遊技球が始動口に入ったことが検出されなかった場合には、次に遊技球が始動口へ入ったことが検出されるまで、回転体を始動口位置と待機位置Ｗとの回転距離が短い方の道程を往復回転させるようにした。【選択図】        図１
2004166951.tif 000002
【特許請求の範囲】
【請求項１】
一定の条件が成立することで大入賞口を複数回開放する権利を発生させると共に、権利発生中において、遊技盤面上の所定の待機位置に到達した遊技球が回転案内装置の回転体に設けられた球受部によって受け取られ円周上を回転案内されて始動口に入ると、前記大入賞口を所定の開放時間若しくは所定個数の入賞があるまで開放するようにしたパチンコ遊技機であって、前記権利が発生していない通常遊技期間中には一定回転方向にのみ回転される前記回転体を、前記権利発生を契機として、該回転体の球受部の回転位置と前記始動口や前記待機位置との位置関係、前記始動口での遊技球の検出の有無、及び権利進行状況等の各状況に応じてその回転方向を変更させるようにしたことを特徴とするパチンコ遊技機。
【請求項２】
球受部が始動口位置に到達した際に遊技球が該始動口に入ったことが検出された場合には、回転案内装置の回転体を待機位置から前記始動口位置への回転距離が長い方である通常回転方向に回転させ、これによって次に球受部が始動口位置に到達するまでに要する時間を大入賞口の所定開放時間よりも長くし、前記球受部が前記始動口位置に到達した際に遊技球が該始動口に入ったことが検出されなかった場合には、次に遊技球が始動口へ入ったことが検出されるまで、前記回転案内装置の回転体を前記始動口位置と待機位置との回転距離が短い方の道程を往復回転させるようにしたことを特徴とする請求項１に記載のパチンコ遊技機。
【請求項３】
権利発生時に回転案内装置の回転体の球受部の回転位置を検出し、球受部から待機位置までの回転距離が短い方向に前記回転体を回転させるようにしたことを特徴とする請求項２に記載のパチンコ遊技機。
【請求項４】
大入賞口が最後に開放される契機となる遊技球が始動口に入ったことが検出された後、及び権利が発生していない通常遊技期間は、回転案内装置の回転体を通常回転方向に回転させることを特徴とする請求項２又は３に記載のパチンコ遊技機。
【発明の詳細な説明】
【０００１】
【発明の属する技術分野】
この発明は、パチンコ遊技機に関する。
【０００２】
【従来の技術】
従来、いわゆる第３種と呼ばれるパチンコ遊技機は、遊技球を盤面に発射することに起因して、一定の条件が成立すると、大入賞口を複数回数開放することができる権利を発生させるようにした構成とされている。その権利発生中において、遊技球が第３種始動口と称される所定の始動口に入ると、前記大入賞口が所定時間開放され、その間に複数個の入賞が許容される。そして大入賞口の開放が複数回（複数ラウンド）許容されることから、遊技者は全ラウンドが終了するまでに多数の賞球を得ることができる。
前記大入賞口の開放は第３種始動口に遊技球が入ることで行われるが、大入賞口の開放中に早々と次の遊技球が第３種始動口に入ると、その開放中のラウンドが未だ途中であるにもかかわらず次のラウンドに進んでしまったり、或いは第３種始動口に入った次の遊技球が無効となったりするなど、遊技者によって不利な状況をもたらすことがあった。
このため現状の第３種のパチンコ遊技機においては、盤面上に発射された遊技球が所定の待機位置に到達すると、その待機中の遊技球を回転案内装置の回転体に設けた球受部で受け取って、これを前記大入賞口の開放時間若しくはそれより少し長い時間をかけて第３種始動口の位置まで回転案内するようにした構成を採用している。これによって大入賞口の開放中に次の遊技球が早々と第３種始動口に入ってしまうのを防止し、遊技者が各ラウンドにおいて満足のゆく入賞個数（総賞球個数）を得ることができるようにしている。
【０００３】
【発明が解決しようとする課題】
ところが上記現状のパチンコ遊技機の場合、権利発生中において、例えば回転案内装置の回転体の球受部が所定の待機位置に到達した時には未だ遊技球がその待機位置にはなく、球受部が待機位置を通過した直後に遊技球が待機位置に到達したような場合には、球受部は回転体と共に略１回転した後に遊技球を受け取り、更に回転して第３種始動口まで案内することになる。即ち、せっかく大入賞口を開放する権利を取得しても、実際には、なかなか直ぐには大入賞口を開放することができない状況が生じ、また前回のラウンドが終了した後、次の大入賞口開放によるラウンドの開始をなかなか開始することができないという状況が生じる。
上記のように、遊技者が効率よく大入賞口を開放することができない状況は、取得した大入賞口開放の権利をなかなか消化することができない状況であり、遊技者にとって長い待ち時間を強いることとなり、また遊技者に苛立ちを与えてしまう結果となり、十分に遊技を楽しんでもらうことができないという問題を含んでいた。
【０００４】
そこで本発明は上記従来のパチンコ遊技機における問題を解消し、大入賞口を開放することができる権利が発生した状況において、大入賞口を開くのに必要な待ち時間を少なくし、これによって実際の利益の取得を速やかに得ながら効率よく権利の消化をしていくことができると共に、各大入賞口開放期間（各ラウンド）においてそれぞれ十分満足できる大入賞口への入賞個数とそれに伴う十分満足できる賞球数を得ることができるパチンコ遊技機の提供を課題とする。また権利の速やかな消化と十分な賞球の確保により、権利発生中において、遊技者に苛立ちを与えることなく、十分に楽しんでもらえることができるパチンコ遊技機の提供を課題とする。
【０００５】
【課題を解決するための手段】
上記課題を達成するため、本発明のパチンコ遊技機は、一定の条件が成立することで大入賞口を複数回開放する権利を発生させると共に、権利発生中において、遊技盤面上の所定の待機位置に到達した遊技球が回転案内装置の回転体に設けられた球受部によって受け取られ円周上を回転案内されて始動口に入ると、前記大入賞口を所定の開放時間若しくは所定個数の入賞があるまで開放するようにしたパチンコ遊技機であって、前記権利が発生していない通常遊技期間中には一定回転方向にのみ回転される前記回転体を、前記権利発生を契機として、該回転体の球受部の回転位置と前記始動口や前記待機位置との位置関係、前記始動口での遊技球の検出の有無、及び権利進行状況等の各状況に応じてその回転方向を変更させるようにしたことを第１の特徴としている。
【０００６】
また本発明のパチンコ遊技機は、上記第１の特徴に加えて、球受部が始動口位置に到達した際に遊技球が該始動口に入ったことが検出された場合には、回転案内装置の回転体を待機位置から前記始動口位置への回転距離が長い方である通常回転方向に回転させ、これによって次に球受部が始動口位置に到達するまでに要する時間を大入賞口の所定開放時間よりも長くし、前記球受部が前記始動口位置に到達した際に遊技球が該始動口に入ったことが検出されなかった場合には、次に遊技球が始動口へ入ったことが検出されるまで、前記回転案内装置の回転体を前記始動口位置と待機位置との回転距離が短い方の道程を往復回転させるようにしたことを第２の特徴としている。
【０００７】
また本発明のパチンコ遊技機は、上記第２の特徴に加えて、権利発生時に回転案内装置の回転体の球受部の回転位置を検出し、球受部から待機位置までの回転距離が短い方向に前記回転体を回転させるようにしたことを第３の特徴としている。
【０００８】
また本発明のパチンコ遊技機は、上記第２又は第３の特徴に加えて、大入賞口が最後に開放される契機となる遊技球が始動口に入ったことが検出された後、及び権利が発生していない通常遊技期間は、回転案内装置の回転体を通常回転方向に回転させることを第４の特徴としている。
【０００９】
上記第１の特徴によれば、大入賞口を複数回開放する権利が発生していない通常遊技期間中には一定方向にのみ回転される回転体が、前記権利の発生を契機として、回転体の球受部の回転位置と始動口や待機位置との位置関係に応じてその回転方向が変更され、また始動口での遊技球の検出の有無に応じてその回転方向が変更され、或いは権利の進行状況に応じてその回転方向が変更される等、権利発生中の各状況に応じて回転体の方向が変更される。即ち、大入賞口を開放することができる権利が発生している状態においては、回転体の回転方向を状況に応じて適当に変更することで、権利発生中において大入賞口を開くのに必要な待ち時間を少なくすることが可能となる。そしてこれによって実際の利益の取得を速やかに得ながら効率よく権利の消化をしていくことが可能となる。加えて大入賞口開放中に次の遊技球が早々と始動口に入ってしまうことも防止することが可能となり、各大入賞口開放期間（各ラウンド）において、それぞれ十分満足できる大入賞口への入賞個数とそれに伴う十分満足できる賞球数を得ることが可能となる。
以上によって権利の速やかな消化と十分な賞球の確保が可能となり、権利発生中において、遊技者に苛立ちを与えることなく、十分に楽しんでもらえることができるパチンコ遊技機の提供することが可能となる。
【００１０】
上記第２の特徴によれば、一定の条件が成立したことで大入賞口を複数回開放することができる権利が発生している場合において、何れかの方向に回転している回転体の球受部が始動口位置に到達した際に、遊技球が該始動口に入ったことが検出された場合には、その時点で前記回転体は、遊技球の受け取り位置である待機位置から始動口位置までの回転距離が長い方である通常回転方向に回転される。これによって大入賞口が開いている最中に次の遊技球が始動口に入ってしまうことはなくなる。即ち、回転体の球受部が始動口位置に達した時に遊技球が始動口に入ると、大入賞口が開放されてそのラウンドが開始されるが、その一方、前記回転体の球受部は始動口位置から通常回転方向に回転されることになり、この通常回転方向においては回転体の球受部が途中の待機位置を通る際に次の遊技球を受け取った場合でも、その後に始動口位置に到達するまでの回転時間が大入賞口の開放時間以上になるからである。
他方、何れかの方向に回転している回転体の球受部が始動口位置に達した際に、遊技球が該始動口に入ったことが検出されなかった場合には、次に遊技球が始動口に入ったことが検出されるまでの間は、回転体は上記始動口位置と待機位置との間の回転距離が短い方の道程を往復回転される。これによって大入賞口が開いていない場合には、回転体の球受部が始動口位置と待機位置との短い方の間を往復しながら、待機位置に到達した遊技球を短時間のうちに迎えに行って受け取り、短時間のうちに始動口に案内し、大入賞口を開放させることができる。即ち、回転体の球受部が始動口位置に達した時点では、大入賞口は開いておらず、しかもその時点で始動口に遊技球が入らない場合（球受部に遊技球がなかった場合）には、その後も大入賞口が開くことがない。よって回転体は、球受部を始動口位置と待機位置との短い方の道程（狭い方の回転角度）を往復させながら、待機位置に到達した遊技球を速やかに受け取って始動口位置に運び、始動口に入れることで、速やかなる大入賞口の開放を行い、ラウンドを開始するのである。
【００１１】
上記第３の特徴によれば、上記第２の特徴による作用、効果に加えて、権利発生時には、回転案内装置の回転体の球受部の回転位置が検出され、その検出結果として、球受部から待機位置までの回転距離が短い方向に前記回転体が回転される。
大入賞口を開放させることができる権利が発生した時点では、未だ大入賞口は開放されていないので、遊技球を待機位置で早く受け取って始動口位置まで運び、始動口に入れて、大入賞口を速やかに開放させるのが好ましい。第３の特徴では、権利が発生した時点で、球受部を待機位置までの回転距離が短い方向に回転させるので、該球受部を素早く待機位置に到達させることができる。
そして第３の特徴において、球受部がその移動途中において始動口に出会うことなく待機位置に到達した場合、その待機位置に遊技球があるか否かに関わらず、更にそのままの方向に回転して始動口位置に到達する。そしてこの時、球受部が遊技球を受け取っている場合は、その遊技球が始動口に入る結果として権利発生初期に素早く大入賞口を開放することになる。そして球受部は上記第２の特徴において説明した動作に従って、通常回転方向に回転される。一方、球受部が遊技球を受け取っていない場合は、遊技球が始動口に入ることはないので大入賞口も開かないが、その後における球受部の移動は、上記第２の特徴において説明した動作に従って、遊技球が始動口へ入ったことが検出されるまでの間、始動口位置と待機位置との回転距離が短い方の道程を往復回転するように移動することになる。その結果として、この場合も権利発生初期に大入賞口を可及的に素早く開放することになる。
また第３の特徴において、球受部がその移動途中において始動口に出会った後に待機位置に到達する場合、この場合には、始動口では遊技球を入れることがないので、その時点で、球受部の移動は、上記第２の特徴において説明した動作に従って、遊技球が始動口へ入ったことが検出されるまでの間、始動口位置と待機位置との回転距離が短い方の道程を往復移動するように制御づけられる。その結果、球受部が待機位置に到達した時に、その待機位置に遊技球があればそれを受け取って始動口位置に運び、始動口に入れる。その結果として、この場合もまた権利発生初期に大入賞口を可及的に素早く開放することができる。
【００１２】
上記第４の特徴によれば、上記第２又は第３の特徴による作用、効果に加えて、前記回転案内装置の回転体は、大入賞口が最後に開放される契機となる遊技球が始動口に入ったことが検出された後、及び前記権利が発生していない通常遊技期間は、通常回転方向に回転される。これによって権利発生前の通常遊技期間及び権利終了後の通常遊技期間での回転体の回転を、通常回転方向に安定して確定することができる。
【００１３】
【発明の実施の形態】
この発明に係るパチンコ遊技機の実施形態について、図面を参照して説明する。なお以下に記載する各実施形態では、この発明に係る遊技機として第３種のパチンコ遊技機を例に挙げて説明する。
【００１４】
図１はいわゆる第３種のパチンコ遊技機の遊技盤１０を示し、その盤面上の上部中央に普通図柄表示器１１が設けられている。その普通図柄表示器１１の直ぐ下に普通図柄始動口１２が設けられ、更にその下方に普通電動役物１３が設けられている。
また前記普通図柄表示器１１の右側には回転案内装置１４が設けられ、その回転案内装置１４の下方に大入賞口１５１を備えた変動入賞装置１５が設けられている。１６、１７は一般入賞口である。
【００１５】
遊技盤１０上に打ち出された遊技球が前記普通図柄始動口１２に入賞し、それが検出されると、前記普通図柄表示器１１に表示されている複数列の普通図柄が変動され、所定時間経過により停止される。この時に停止された普通図柄の停止態様が多数の態様の中で一定の態様（当り態様）であった場合、例えば「３・３・３」又は「７・７・７」の場合には、前記普通電動役物１３の開閉口１３１を一定時間開放する。
前記普通電動役物１３の開閉口１３１が開放している時に、遊技球が開閉口１３１に入り、更に内部に設けられている図示しない権利発生領域を通過した場合には、変動入賞装置１５の大入賞口１５１を複数回開放する権利が発生する。
【００１６】
図２、図３を参照して回転案内装置１４を説明する。図２は回転案内装置１４の正面図、図３は分解斜視図である。
回転案内装置１４は、ステッピングモータ１４１と、遊技盤１０面上への取付基板１４２と、該取付基板１４２に設けられたリング状のガイド枠１４３と、該リング状のガイド枠１４３の最上部に開口された球入口１４４と、前記ガイド枠１４３内において取付基板１４２に開けられた第３種始動口１４５と、前記ステッピングモータ１４１によって正逆転させられる回転体１４６と、該回転体１４６に設けられた球受部１４７とを有する。
前記第３種始動口１４５は、請求の範囲の記載における始動口に対応する実施形態である。
遊技盤１０面上に発射されて流下してきた遊技球Ｂが、回転案内装置１４の球入口１４４に到達すると、その球入口１４４で前記回転体１４６の球受部１４７が回って来るまで待機し、球入口１４４に球受部１４７が一致すると、球受部１４７に受け取られ、回転体１４６の回転によって円周上を回転案内され、第３種始動口１４５位置に到達すると、そこで第３種始動口１４５に入る。遊技球Ｂが第３種始動口１４５に入ると、前記大入賞口１５１が開放される。
【００１７】
本実施形態では、遊技球Ｂは前記球入口１４４で回転体１４６の球受部１４７が来るのを待機することになるので、この球入口１４４が遊技球Ｂの待機位置Ｗとなる。
また前記において、第３種始動口１４５は遊技盤１０に設けられた図示しない穴と連通しており、厳密にはその連通した全体の穴が第３種始動口１４５となる。
【００１８】
本実施形態においては、大入賞口１５１の１回の開放時間は１０秒とし、入賞個数が規定入賞個数である１０個に達すると、前記開放時間以内でも大入賞口１５１が閉じられるように構成されている。勿論、前記開放時間、規定入賞個数は前記した数値に限定されるものではない。
また前記１回の入賞につき複数個の賞球がなされる。
本実施形態においては、権利発生中に大入賞口１５１が開放される回数は最大１５回、即ち最大１５ラウンドとしている。が、勿論、大入賞口１５１の開放される最大回数（最大ラウンド数）は前記した数値に限定されるものではない。
【００１９】
図４を参照して、本実施形態に係るパチンコ遊技機の主な制御構成を説明する。
メイン制御部２０には、ＣＰＵ２１、制御プロブラムやその他を記憶させたＲＯＭ２２、ＲＯＭ２２から読み出された制御プログラム等を一次的に格納するＲＡＭ２３が搭載されている。また前記ＣＰＵ２１はインターフェイス２４を介して外部と接続される。
メイン制御部２０に対して、普通図柄始動口スイッチ１２１、権利発生スイッチ１３３、第３種始動口スイッチ１４５ａ、大入賞口スイッチ１５１ａ、一般入賞口スイッチ１６１、１７１等のスイッチ類、また普通図柄制御部１１１と普通図柄表示器１１、普通電動役物開閉ソレノイド１３２と普通電動役物開閉口１３１、回転案内装置制御部１４１ａとステッピングモータ１４１、大入賞口開閉ソレノイド１５１ｂ、賞球払出制御部１８１と賞球払出装置１８が接続されている。
遊技球Ｂが普通図柄始動口１２に入ると前記普通図柄始動口スイッチ１２１がそれを検出し、その情報がメイン制御部２０に入力され、その結果、メイン制御部２０から普通図柄制御部１１１を介して、普通図柄の変動とその停止が普通図柄表示器１１に表示される。
普通図柄の停止態様が上記した当り態様であった場合には、前記普通電動役物開閉ソレノイド１３２が一定時間励起して普通電動役物開閉口１３１を開放する。
前記開閉口１３１が開放されている時に遊技球Ｂが開閉口１３１に入り、上記した権利発生領域を通過すると、前記権利発生スイッチ１３３がオンし、その情報がメイン制御部２０に入力されると、変動入賞装置１５の大入賞口１５１を複数回（１５回）開放することができる権利が発生する。
大入賞口１５１を開放することができる権利が発生している時に、遊技球Ｂが第３種始動口１４５に入ると、前記第３種始動口スイッチ１４５ａがオンし、その情報がメイン制御部２０に入力され、その結果、大入賞口開閉ソレノイド１５１ｂが励磁されて大入賞口１５１を開放する。
大入賞口１５１の開放により遊技球Ｂが大入賞口１５１に入ると、前記大入賞口スイッチ１５１ａがオンし、メイン制御部２０から前記賞球払出制御部１８１を介して賞球払出装置１８から賞球がなされる。
また大入賞口１５１の他、一般入賞口１６、１７、その他の一般入賞口に遊技球Ｂが入った場合にも、それぞれの一般入賞口スイッチ１６１、１７１がオンし、前記賞球制御部１８１を介して賞球払出装置１８から賞球がなされる。
【００２０】
前記ステッピングモータ１４１の回転を制御する回転案内装置制御部１４１ａは、メイン制御部２０と双方向に接続され、メイン制御部２０からの制御指令により回転案内装置制御部１４１ａを介してステッピングモータ１４１が回転制御されると共に、ステッピングモータ１４１の回転位置情報が回転案内装置制御部１４１ａを介してメイン制御部２０に入力されるようになされている。
【００２１】
図５〜図１０を参照して、回転案内装置１４の回転体１４６についての回転制御を更に説明する。
先ず図５を参照して、遊技球Ｂの待機位置Ｗと第３種始動口１４５と回転体１４６との位置関係を説明する。本実施形態においては、遊技盤１０面に回転案内装置１４の取付基板１４２を介して設けられる上向きの球入口１４４を待機位置Ｗとしている。そしてこの待機位置Ｗを０度位置とすると、第３種始動口１４５の位置は回転体１４６が前記０度位置から時計回り方向に３００度回転した位置に設けられている。別の言い方では、第３種始動口１４５の位置は前記０度位置から回転体１４６が反時計回り方向に６０度回転した位置に設けられている。
本発明実施形態では、前記待機位置Ｗから第３種始動口１４５位置への回転距離が長い方の回転方向（時計回り方向となる）を通常回転方向とし、待機位置Ｗから第３種始動口１４５位置への回転距離が短い方の回転方向（反時計回り方向となる）を逆回転方向とする。
【００２２】
前記回転体１４６の時計回り方向への１回転に要する時間は、本実施形態では１０秒としている。即ち、第３種始動口１４５位置で遊技球Ｂを第３種始動口１４５に入れた回転体１４６が時計回り方向に待機位置Ｗまで６０度回転し、その位置で再び遊技球Ｂを球受部１４７に受け取り、更に時計回り方向に３００度回転して再び第３種始動口１４５位置に到達するまでに要する時間が１０秒である。この１０秒は第３種始動口１４５に遊技球Ｂが入って大入賞口１５１が開放する開放時間１０秒（勿論、遊技球Ｂが規定入賞個数である１０個入れば１０秒以前でも閉まる）と同じである。即ち、大入賞口１５１が開放している間は次の遊技球Ｂが第３種始動口１４５に入らないようにしている。これによって、各ラウンド毎に遊技者が満足の行く入賞個数を得ることができるようにしている。
勿論、回転体１４６の１回転時間は１０秒に限定されるものではない。大入賞口１５１の１回の開放時間との関係において、大入賞口１５１の開放中に遊技球Ｂが第３種始動口１４５に入らないように、前記１回転時間は大入賞口の開放時間と同じか、それ以上となる時間を設定すればよい。
【００２３】
図６に従って、図７〜１０を参照しながら更に説明する。
今、大入賞口１５１を開放させることができる権利が発生すると（Ｓ１でイエス）、先ずメイン制御部２０は、回転体１４６の球受部１４７がどの回転位置にあるかを検出する（Ｓ２）。この検出は、例えば球受部１４７が待機位置Ｗと一致する回転位置を０度とし、その時のステッピングモータ１４１の回転ステップを０ステップとして、ステッピングモータ１４１のステップ数と球受部１４７の回転角度位置とを予め対応づけておくことで、検出することができる。
【００２４】
ステップＳ２で権利発生時における球受部１４７の回転位置が検出されると、メイン制御部２０は、その球受部１４７の位置から球受部１４７を待機位置Ｗへと回転移動させるのに回転距離が短い方向に回転体１４６を回転させる（Ｓ３）。
例えば権利発生時に球受部１４７が図７の（Ａ）の状態にあった場合、即ち、球受部１４７が待機位置Ｗから時計回り方向に１８０度未満の角度位置にあった場合には、その時点で回転体１４６の回転方向が通常回転方向（時計回り方向）から逆回転方向に変更される。そしてその逆回転方向で球受部１４７が第３種始動口１４５位置に到達するまで回転される（Ｓ４）。
前記逆回転方向に回転される球受部１４７は、第３種始動口１４５位置に到達する前に待機位置Ｗに達し、その時点で遊技球Ｂが待機位置Ｗに待機しておれば、その遊技球Ｂを受け取り、遊技球Ｂが待機位置Ｗに未だなければ、そのまま通過する。
一方、権利発生時に球受部１４７が図７の（Ｂ）の状態のように、球受部１４７が待機位置Ｗから時計回り方向に１８０度以上の角度位置にあった場合には、回転体１４７はそのまま通常回転方向（時計回り方向）に回転される。そしてそのまま球受部１４７が第３種始動口１４５位置に到達するまで回転される（Ｓ４）。この場合、球受部１４７が権利発生時に３００度の角度以下にある場合（図７の（Ｂ）の場合）は、待機位置Ｗに到達する前に第３種始動口１４５位置に到達する。また球受部１４７が３００度を超える位置にある場合には、先に待機位置Ｗに到達した後に第３種始動口１４５位置に到達する。
以上、ステップＳ３のように制御することで、権利発生時においては、その球受部１４７を待機位置Ｗへと早く到達させることができるので、待機位置Ｗに遊技球Ｂが待機しておれば、その遊技球Ｂを早く受け取って、第３種始動口１４５まで運び、入れ、大入賞口１５１を早期に開放することが可能となる。
【００２５】
メイン制御部２０は球受部１４７が第３種始動口１４５位置に到達するのを、ステッピングモータ１４１のステップ数等から判断し（Ｓ４）、達した場合（Ｓ４でイエス）には、更に遊技球Ｂが第３種始動口１４５に入ったか否かを、第３種始動口スイッチ１４５ａの検出の有無（オンしたか否か）によって判断し（Ｓ５）、検出した場合（Ｓ５でイエス）はステップＳ６に進み、検出しなかった場合（Ｓ５でノー）はステップＳ９に進む。
【００２６】
図８の（Ａ）に示す場合は、球受部１４７が遊技球Ｂを受け取った状態で第３種始動口１４５位置に到達した場合である。例えば権利発生初期において球受部１４７が図７の（Ａ）に示すような状況で逆回転してその途中の待機位置Ｗで遊技球Ｂを受け取り、第３種始動口１４５位置に到達した場合がそうである。その他、権利発生初期の第１ラウンドが開始する前であろうが、第２ラウンド以降であろうが、また回転体１４６が通常回転により到達しようが逆回転で到達しようが、要するに、球受部１４７が遊技球Ｂを受け取った状態で第３種始動口１４５位置に到達した場合である。
この図８の（Ａ）に示す場合には、遊技球Ｂが第３種始動口１４５に入る（Ｓ５でイエス）ので、メイン制御部２０は回転体１４６を、図９の（Ａ）、（Ｂ）に示すように通常回転方向（時計回り方向）に回転させる（Ｓ６）。これにより球受部１４７は第３種始動口１４５位置から１０秒かけて１周し、第３種始動口１４５位置に再到達することになる。
この場合、図９の（Ａ）に示すように途中の待機位置Ｗで遊技球Ｂを受け取らない場合と、図９の（Ｂ）に示すように途中の待機位置Ｗで遊技球Ｂを受け取る場合がある。途中の待機位置Ｗで遊技球Ｂを受け取った場合、その遊技球Ｂが第３種始動口１４５位置に到達する時点では、前記ステップＳ５で遊技球Ｂが第３種始動口１４５に入ったことで開放された大入賞口１５１はそのラウンドを終了した状態となっており、当該遊技球Ｂが新たに第３種始動口１４５へ入ることで、再び大入賞口１４５がタイミング良く開き、次のラウンドが開始される。
【００２７】
一方、図８の（Ｂ）に示す場合は、球受部１４７が遊技球Ｂを受け取らないまま第３種始動口１４５位置に到達した場合である。例えば、権利発生初期において球受部１４７が図７の（Ａ）に示すような状況で逆回転してその途中の待機位置Ｗで遊技球Ｂを受け取ることなく球受部１４７が第３種始動口１４５位置に到達した場合、或いは権利発生初期に図７の（Ｂ）に示すような状況で通常回転して、球受部１４７が待機位置Ｗに到達する前に先に第３種始動口１４５位置に到達した場合、その他、権利発生初期の第１ラウンドが開始する前であろうが、第２ラウンド以降であろうが、また回転体１４６が通常回転により到達しようが逆回転で到達しようが、要するに球受部１４７が遊技球Ｂを受け取っていない状態で第３種始動口１４５位置に到達した場合である。
この図８の（Ｂ）に示す場合には、遊技球Ｂが第３種始動口１４５に入ることがない（Ｓ５でノー）ので、大入賞口１５１は開放されることなく閉止状態である。従ってこの場合は、メイン制御部２０は遊技球Ｂが第３種始動口１４５に入るまで、回転体１４６を図１０の（Ａ）、（Ｂ）に示すように、待機位置Ｗと第３種始動口１４５位置との間の回転距離が短い方の道程、即ち待機位置Ｗと第３種始動口１４５位置との間が６０度の回転距離である方の道程を往復回転させるように制御する（ステップＳ９）。
図１０の（Ａ）の状態（図８の（Ｂ）の状態と同じ）、即ち球受部１４７が第３種始動口１４５位置にきた時（ステッピングモータ１４１のステップ数で検出できる）に、遊技球Ｂが第３種始動口１４５に入らなかった場合は、回転体１４６が６０度の角度だけ通常回転し、球受部１４７を待機位置Ｗに速やかに移動させ、更に図１０の（Ｂ）の待機位置Ｗに到達すると（ステッピングモータ１４１のステップ数で検出できる）、今度は回転体１４６を逆回転させて、球受部１４７を素早く第３種始動口１４５位置に到達させる。
以上のように球受部１４７を待機位置Ｗと第３種始動口１４５位置との間の回転距離が短い方の道程を往復させることで、球受部１４７が待機位置Ｗに達した時に遊技球Ｂを受け取ると、その遊技球Ｂを速やかに第３種始動口１４５位置に運び、第３種始動口１４５に入れることができ、これによって閉止している大入賞口１５１を速やかに開放することができる。
【００２８】
権利発生中において、大入賞口１５１を最後（１５回目）に開放させる契機となる遊技球Ｂが第３種始動口１４５に入ると、大入賞口１５１が開放されて最終ラウンド（１５回目）が開始され、また回転体１４６が通常回転方向に回転される。
そして前記最終ラウンドが開始されると（ステップＳ７でイエス）、前記発生していた権利が終了する。（ステップＳ８）。そして最終ラウンドが終了すると大入賞口１５１の開放を伴う特別な遊技期間が終わる。
前記権利の終了は１５ラウンド（最終ラウンド）になる前でも、例えば遊技球Ｂが権利発生中に再び前記普通電動役物１３の開閉口１３１内の権利発生領域を通ることで終了するようにすることができる。最終ラウンドが開始された（ステップＳ１０でイエス）際に、回転体１４６が通常回転方向に回転していない時に行われた場合には、メイン制御部２０は回転体１４６を通常回転方向に回転させるように制御する（ステップＳ１１）。
以上のようにすることで、最終ラウンドが開始された後、及び権利が発生していない通常遊技期間は、回転体１４６が通常回転方向に回転されることになる。
【００２９】
なお以上の実施形態において、大入賞口１５１を複数回開放させることができる権利の成立の条件は、上記の実施形態で説明した場合に限定されるものではない。
【００３０】
【発明の効果】
本発明は以上の構成よりなり、請求項１に記載のパチンコ遊技機によれば、権利が発生していない通常遊技期間中には一定回転方向にのみ回転される回転体を、権利発生を契機として、該回転体の球受部の回転位置と始動口や待機位置との位置関係、前記始動口での遊技球の検出の有無、及び権利進行状況等の各状況に応じてその回転方向を変更させるようにしたので、
大入賞口を開放することができる権利が発生中においては、回転体の回転方向を状況に応じて適当に変更させることで、大入賞口を開くのに必要な待ち時間を少なくすることが可能になる。そしてこれによって実際の利益の取得を速やかに得ながら効率よく権利の消化をしていくことが可能になる。加えて大入賞口開放中に次の遊技球が早々と始動口に入ってしまうことも防止することが可能になり、各大入賞口開放期間（各ラウンド）においてそれぞれ十分満足できる大入賞口への入賞個数とそれに伴う十分満足できる賞球数を得ることが可能になる。
また請求項２に記載のパチンコ遊技機によれば、球受部が始動口位置に到達した際に遊技球が該始動口に入ったことが検出された場合には、回転案内装置の回転体を待機位置から前記始動口位置への回転距離が長い方である通常回転方向に回転させ、これによって次に球受部が始動口位置に到達するまでに要する時間を大入賞口の所定開放時間よりも長くしたので、
大入賞口が開いている最中に次の遊技球が始動口に入ってしまうことを確実に防止して、各大入賞口開放期間（各ラウンド）において、それぞれ十分満足できる大入賞口への入賞個数とそれに伴う十分満足できる賞球数を遊技者に保証することができる。
加えて、前記球受部が前記始動口位置に到達した際に遊技球が該始動口に入ったことが検出されなかった場合には、次に遊技球が始動口へ入ったことが検出されるまで、前記回転案内装置の回転体を前記始動口位置と待機位置との回転距離が短い方の道程を往復回転させるようにしたので、
大入賞口が開いていない場合には、回転体の球受部が始動口位置と待機位置との短い方の間を往復しながら、待機位置に到達した遊技球を短時間のうちに迎えに行って受け取り、短時間のうちに始動口に案内して、大入賞口を速やかに開放させることが可能となり、よってまた遊技者にとって大入賞口を開くのに必要な待ち時間を少なくし、実際の利益の取得を速やかに得ながら効率よく権利の消化をして行くことができる保証することができる。
しかも待機位置に遊技球が待機しているか否か等を検出する必要なく、よって待機位置に遊技球の検出手段を必要とすることなく、始動口にある検出手段を兼用して回転体の回転方向制御を行うことができる。
以上より、大入賞口を開放する権利が発生している期間中において、遊技者に苛立ちを与えることなく、その期間を十分に楽しんでもらえることができるパチンコ遊技機を提供することができる。
また請求項３に記載のパチンコ遊技機によれば、上記請求項２に記載の構成による効果に加えて、権利発生時に回転案内装置の回転体の球受部の回転位置を検出し、球受部から待機位置までの回転距離が短い方向に前記回転体を回転させるようにしたので、
権利が発生した時点で、球受部を素早く待機位置に到達させることができる。その結果として、権利発生初期に大入賞口を可及的に素早く開放させることが可能となる。
また請求項４に記載のパチンコ遊技機によれば、上記請求項２又は３に記載の構成による効果に加えて、大入賞口が最後に開放される契機となる遊技球が始動口に入ったことが検出された後、及び権利が発生していない通常遊技期間は、回転案内装置の回転体を通常回転方向に回転させるので、
権利発生前の通常遊技期間、及び大入賞口が最後に開いた最終ラウンドから準備良く、権利終了後の通常遊技期間での回転体の回転を、通常回転方向に安定して確定することができる。
【図面の簡単な説明】
【図１】本発明の実施形態に係るパチンコ遊技機の遊技盤の主要構成を示す正面図である。
【図２】回転案内装置の正面図である。
【図３】回転案内装置の分解斜視図である。
【図４】本発明の実施形態係るパチンコ遊技機の主な制御構成を示すブロック図である。
【図５】遊技球の待機位置と第３種始動口と回転体との位置関係を説明する図である。
【図６】回転案内装置の回転体を制御するフローチャートである。
【図７】（Ａ）、（Ｂ）はそれぞれ権利発生初期における回転体の制御を説明する図である。
【図８】（Ａ）、（Ｂ）はそれぞれ権利発生中に回転体の球受部が第３種始動口位置に到達した時点を説明する図である。
【図９】（Ａ）、（Ｂ）は権利発生中に回転体の球受部が第３種始動口位置に到達した際、第３種始動口に遊技球が入ったことが検出された場合における回転体の制御を説明する図である。
【図１０】（Ａ）、（Ｂ）は権利発生中に回転体の球受部が第３種始動口位置に到達した際、第３種始動口に遊技球が入ったことが検出されなかった場合における回転体の制御を説明する図である。
【符号の説明】
１０      遊技盤
１１      普通図柄表示器
１２      普通図柄始動口
１３      普通電動役物
１４      回転案内装置
１５      変動入賞装置
２０      メイン制御部
１３１    普通電動役物の開閉口
１４１    ステッピングモータ
１４４    球入口
１４５    第３種始動口
１４６    回転体
１４７    球受部
１５１    大入賞口
１５１ａ  大入賞口スイッチ
Ｂ        遊技球
Ｗ        待機位置
【図１】
2004166951.tif 000003
【図２】
2004166951.tif 000004
【図３】
2004166951.tif 000005
【図４】
2004166951.tif 000006
【図５】
2004166951.tif 000007
【図６】
2004166951.tif 000008
【図７】
2004166951.tif 000009
【図８】
2004166951.tif 000010
【図９】
2004166951.tif 000011
【図１０】
2004166951.tif 000012